(57)【要約】【課題】キャリッジとこれに対向する部材との対向間隔を一定に維持できるようにして対向部材との密着性や清掃性の向上を図ることができる構成を備えた維持回復装置を提供する。【解決手段】液滴吐出ヘッド２Ａと、該ヘッド２Ａを搭載して記録紙の搬送方向と直角な方向に往復移動するキャリッジ２と、前記ヘッド２Ａを保湿するためのキャップ３Ａおよび吸引用キャップ３Ｂさらにはワイパーブレード３Ｃ１などの、キャリッジ２を変位させる力を生起する部材３Ｃとを備え、キャリッジ２の移動経路内に配置されている維持回復装置３において、キャリッジ２がキャップ３Ａ、３Ｂあるいはワイパーブレード３Ｃ１と対向する位置に移動した際にキャリッジ２を、その往復移動方向と直角な方向に相当する、ヘッド２とキャップ３Ａ，３Ｂあるいはワイパーブレード３Ｃとが対向する方向でキャリッジ２の移動を規制するキャリッジ移動規制手段１３を備えたことを特徴とする。【選択図】図４
2012121152.tif 000002
【特許請求の範囲】
【請求項１】
液滴吐出ヘッドと、
前記ヘッドを搭載して記録紙の搬送方向と直角な走査方向に往復移動するキャリッジと、前記ヘッドを保湿または吸引するキャップおよび前記ヘッドの清掃を行うワイパーブレードを含み、前記キャリッジに対して該キャリッジの走査方向と直交方向に変位する力を与える部材とを備え、
前記キャリッジが前記走査方向と直交方向への変位力を与える部材と対向する位置に移動した際に、前記キャリッジを、前記走査方向と直交する方向に相当する、前記ヘッドと前記走査方向と直交方向への変位力を与える部材とが対向する方向における前記キャリッジの移動を規制するキャリッジ移動規制手段を備えたことを特徴とする吐出部用維持回復装置。
【請求項２】
前記キャリッジ移動規制手段は、前記キャリッジに設けられている嵌合部に対して係脱可能な規制手段が用いられ、該規制手段は、前記キャリッジが前記キャップと対向する位置で前記嵌合部に係合することにより該キャリッジが前記走査方向と直交方向への変位力を与える部材から離れる方向に移動するのを阻止して前記キャリッジと前記キャップとの対向間隔を一定に維持することを特徴とする請求項１記載の吐出部用維持回復装置。
【請求項３】
前記キャリッジ移動規制手段は、前記キャリッジおいて前記対向間隔方向に複数設けられている嵌合部と、該嵌合部に対して係脱可能な規制手段とを備え、前記規制手段は、前記キャリッジを用いて印字される記録紙の厚さに応じて前記嵌合部に対する嵌合位置が選択されることを特徴とする請求項１または２に記載の吐出部用維持回復装置。
【請求項４】
前記キャリッジ移動規制手段に有する規制手段は、前記走査方向と直交方向への変位力を与える部材の昇降駆動源と同一駆動源により前記嵌合部に対する係脱駆動が行われる構成であることを特徴とする請求項１乃至３のうちの一つに記載の吐出部用維持回復装置。
【請求項５】
請求項１乃至４のうちの一つに記載の吐出部用維持回復装置を用いる液滴吐出部を備えることを特徴とする画像形成装置。
【発明の詳細な説明】
【技術分野】
【０００１】
本発明は、吐出部用維持回復装置および画像形成装置に関し、さらに詳しくは、液滴ノズルの維持回復時での位置規定機構に関する。
【背景技術】
【０００２】
周知のように、プリンタ、ファクシミリ装置や複写装置あるいはプロッタさらにはこれら機能を併せ持つ複合機などの画像形成装置の一つに、インク液滴を吐出する記録ヘッドを用いた液体吐出記録方式によるインクジェット記録装置がある。
【０００３】
この液体吐出記録方式のインクジェット記録装置は、記録ヘッドからインク滴を、搬送される用紙に対して吐出して、画像形成（記録、印字、印写、印刷も同義語で使用する）を行ない、その型式として、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００４】
なお、本発明における液体吐出記録方式の画像形成装置としては、紙、糸、繊維、布帛、皮革、金属、プラスチック、ガラス、木材、セラミックス等の媒体を対象として、インクを着弾させて画像形成を行う装置を意味し、また、画像形成とは、文字や図形等の意味を持つ画像を媒体に対して付与することだけでなく、パターン等の意味を持たない画像を媒体に付与すること（単に液滴を媒体に着弾させること）をも意味する。
【０００５】
さらに、本発明の説明に用いるインクとは、インクと称されるものに限らず、記録液、定着処理液、樹脂、薬品、液体などと称されるものなど、画像形成を行うことができるすべての液体の総称として用いられているものが含まれる。
【０００６】
また、本発明で挙げる用紙とは、材質を紙に限定するものではなく、上述したＯＨＰシート、布なども含み、インク滴が付着されるものの意味であり、被記録媒体、記録媒体、記録紙、記録用紙などと称されるものを含むものの総称として用いる。
【０００７】
この液体吐出記録方式の画像形成装置は、製本や各種印刷物を少量生産する為に使用される設備型のインクジェットプリンターの場合、高速で駆動させる為、サーマル型またピエゾ型のインクジェットヘッドを多数個配置し、紙搬送方向に対し直角方向の駆動(キャリッジ駆動)を持たず、紙搬送のみで画像を形成することができるようになっている。
【０００８】
この種のインクジェット記録装置は、高速かつ低騒音であり、記録媒体の種類に制約が少なく、カラー化も容易であるなどの利点があることから、現在広く普及している。
【０００９】
しかし、インクジェット記録装置では、微細なノズルからインク滴を吐出することから、停止時にインクが乾燥しやすく、またインクでノズル面が濡れてノズル面に紙粉等の粉塵が付着しやすく、さらにノズルから空気が入ることがあるなどの問題があり、これらに起因して不吐出となったり吐出方向が曲がったり液滴サイズが小さくなったりしてインク液滴の吐出不良が発生し、画像にドット抜けや白筋などを生じて画像品質が低下する不具合があった。
【００１０】
このような不具合の発生を防止する構成として、小型のインクジェットプリンターの場合では、記録ヘッド内の増粘インクを除去したり、非記録時に記録ヘッドを保護するためのキャップを有した維持回復装置を用いることが知られている。  
維持回復装置では、記録ヘッドの保湿のために用いられるキャップが確実に記録ヘッドに密着していないと、記録ヘッドの保湿機能が果たせない。
そこで、従来、維持回復装置に用いられる記録ヘッドとキャップとの密着を得るための構成として記録ヘッド側をキャップに向けて圧接させる構成が提案されている（例えば、特許文献１）。
特許文献１には、紙厚に応じて記録ヘッドと記録紙との対向間隔を調整する調整機構に備えられている位置調整用の圧接レバーが圧接バネによりガイドレールを押圧する力を利用して、記録ヘッドがキャップへ当接する際の両者間の当接圧を得てキャップに記録ヘッドの吐出のズルを密着させる構成が開示されている。
【００１１】
しかし、この構成では、キャリッジに相当する記録ヘッドに対して、キャップやワイパから受ける力よりも強いバネ力を用いないと、記録ヘッドの挙動が不安定となり、キャップとの密着状態が維持できなくなる。このため、キャップとの密着性を確保するには、バネの構造が大型化する虞がある。
【００１２】
また、ガイドレールに対する記録ヘッドの圧接位置が前後両側ではなく片側のみであるために、圧接バネの付勢により圧接されていない記録ヘッドの箇所がガイドレールから浮き上がることもあり、この場合にはキャップとの密着性が保持できなくなる虞がある。このような密着性に影響する記録ヘッドの浮き上がりは、記録ヘッドとワイパーブレードとの適正な接触状態が維持できなくなり、正常に清掃することができなくなる虞もある。
【００１３】
一方、上述した記録ヘッドの浮き上がりなどの挙動が不安定となるのを防止するために、記録ヘッド、いわゆる、キャリッジをキャップの動きに連動させてロックするようにした構成が提案されている（例えば、特許文献２）。
特許文献２には、維持回復機構側に設けた凸部が上昇した際にキャリッジ側に設けられている凹部に嵌合させることにより、維持回復機構のキャップがキャリッジ側に移動する際にキャリッジが不用意にガイドレールの長手方向へ移動するのを防止する構成が開示されている。
【発明の概要】
【発明が解決しようとする課題】
【００１４】
特許文献２に開示されている構成では、維持回復機構のキャップ上昇に応じてキャリッジ側がガイドレールの長手方向に移動しないようにロックが行われるようになっているが、ガイドレールの長手方向に対する直交方向に相当する、キャリッジとキャップとの対向間隔を一定に維持するようにはなっていない。
【００１５】
従って、特許文献２に開示された構成を用いた場合、キャリッジとキャップとの対向間隔に関して、自由に変化できる状態となっていると、特許文献１に開示されているように、維持回復機構に装備されているワイパーブレードからの力をキャリッジが受けた場合にキャリッジがワイパーブレードから遠ざかる虞があり、キャリッジに対する正常な清掃ができないだけでなく、キャップと接触した際の力によって浮き上がるとキャップとの密着性を保障できなくなる虞がある。
【００１６】
本発明の目的は、前記従来の維持回復装置における問題に鑑み、キャリッジとこれに対向する部材との対向間隔を一定に維持できるようにして対向部材との密着性や清掃性の向上を図ることができる構成を備えた維持回復装置および画像形成装置を提供することにある。
【課題を解決するための手段】
【００１７】
この目的を達成するため本発明は次の構成よりなる。
（１）液滴吐出ヘッドと、
前記ヘッドを搭載して記録紙の搬送方向と直角な走査方向に往復移動するキャリッジと、前記ヘッドを保湿または吸引するキャップおよび前記ヘッドの清掃を行うワイパーブレードを含み、前記キャリッジに対して該キャリッジの走査方向と直交方向に変位する力を与える部材とを備え、
前記キャリッジが前記走査方向と直交方向への変位力を与える部材と対向する位置に移動した際に、前記キャリッジを、前記走査方向と直交する方向に相当する、前記ヘッドと前記走査方向と直交方向への変位力を与える部材とが対向する方向における前記キャリッジの移動を規制するキャリッジ移動規制手段を備えたことを特徴とする吐出部用維持回復装置。
【００１８】
（２）前記キャリッジ移動規制手段は、前記キャリッジに設けられている嵌合部に対して係脱可能な規制手段が用いられ、該規制手段は、前記キャリッジが前記キャップと対向する位置で前記嵌合部に係合することにより該キャリッジが前記走査方向と直交方向への変位力を与える部材から離れる方向に移動するのを阻止して前記キャリッジと前記キャップとの対向間隔を一定に維持することを特徴とする（１）記載の吐出部用維持回復装置。
【００１９】
（３）前記キャリッジ移動規制手段は、前記キャリッジおいて前記対向間隔方向に複数設けられている嵌合部と、該嵌合部に対して係脱可能な規制手段とを備え、前記規制手段は、前記キャリッジを用いて印字される記録紙の厚さに応じて前記嵌合部に対する嵌合位置が選択されることを特徴とする（１）または（２）に記載の吐出部用維持回復装置。
【００２０】
（４）前記キャリッジ移動規制手段に有する規制手段は、前記走査方向と直交方向への変位力を与える部材の昇降駆動源と同一駆動源により前記嵌合部に対する係脱駆動が行われる構成であることを特徴とする（１）乃至（３）のうちの一つに記載の吐出部用維持回復装置。
【００２１】
（５）（１）乃至（４）のうちの一つに記載の吐出部用維持回復装置を用いる液滴吐出部を備えることを特徴とする画像形成装置。
【発明の効果】
【００２２】
本発明によれば、キャリッジ側に設けられている嵌合部に対して係脱可能な規制手段を備えたキャリッジ移動規制手段を用いることにより、嵌合部と規制手段とが係合されることでキャップの昇降方向に沿ったキャリッジの移動が規制され、キャリッジとキャップとの対向間隔が変化するのを防止することができる。これにより、対向間隔が変化してしまうことが原因するキャップの密着性を確保して保湿性の低下を防止することができる。
【図面の簡単な説明】
【００２３】
【図１】本発明による維持回復装置を備えたインクジェット記録装置の一例を説明するための模式図である。
【図２】キャリッジのガイド機構を示す斜視図である。
【図３】図２に示したガイド機構を対象としたキャリッジに発生する問題点を説明するための図である。
【図４】本発明の一実施例による維持回復装置の要部構成を説明するための斜視図である。
【図５】本発明の別実施例による維持回復装置の要部構成を説明するための斜視図である。
【図６】図５に示した要部構成の一態様を説明するための斜視図である。
【図７】図４に示した実施例の要部変形例を説明するための斜視図である。
【図８】本発明の他の実施例による維持回復装置の要部構成を説明するための図である。
【発明を実施するための形態】
【００２４】
以下、図面に示す実施例により本発明を実施するための形態について説明する。
図１は、本発明による維持回復装置を用いる画像形成装置の一つである、インクジェット記録装置の構成を説明するための模式図である。
図１においてインクジェット記録装置１は、被記録材として用いられる記録紙の搬送方向（副走査方向）と交差する方向を主走査方向とするシリアルスキャン方式によるものであり、複数の液滴吐出ヘッドとして用いられる記録ヘッド２Ａを備えて主走査方向に延長されたガイドレール１Ａに沿って往復動可能なキャリッジ２と、保湿キャップ３Ａと吸引キャップ３Ｂそしてワイパーブレード３Ｃ１およびインク回収路３Ｃ１を備えたメンテナンス装置３Ｃを備えた維持回復装置３とを主要部として備えることにより記録装置エンジン部が構成されている。
【００２５】
なお、図１において、符号４Ａは、廃液タンク４に連通する廃液導入路であり、符号５は給紙装置６から給送される記録紙を搬送する搬送ベルトであり、符号７はインク回収容器、そして符号８は、図示しない給液ポンプを介して記録ヘッド２Ａに向けインクを供給するインクカートリッジであり、符号９はスキャナーである。
【００２６】
維持回復装置３では、キャリッジ２が対向すると、記録ヘッド２Ａに対し、図において上側に移動することで接近して各キャップ３Ａ、３Ｂあるいはクリーニングブレード３Ｃ１をそれぞれ対面させて、保湿維持、増粘インクの除去および拭き取り作業が行われる。
乾燥して増粘したインクは吸引ポンプ３Ｂ１による吸引力によって吸引キャップ３Ｂにより吸引されると廃液タンク４の廃液導入路４Ａに向けて排出チューブ３Ｂ２を介して排出される。
【００２７】
図２は、キャリッジ２の支持構造を示す図であり、同図においてキャリッジ２は、従来用いられていたロッド状のガイド部材に変えて縦断面係数を大きくし、かつ板金加工によるコスト低下を図る目的で、チャンネル状に折り曲げ加工されたレール状のガイド部材１０によりその長手方向に沿って摺動可能に設けられている。
【００２８】
図３において、ガイド部材１０とキャリッジ２におけるガイド部材１０に近い位置との間には、弦巻バネ１１が掛けられており、キャリッジ２を、図において下方、つまり記録ヘッド２Ａが記録紙の紙面に向かう方向の押圧付勢が行われている。
キャリッジ２には、図示しないが、記録紙の厚さに応じて記録ヘッド２Ａと記録紙表面との間の距離を切り換えるための高さ調整機構が設けられており、封筒などの厚手の記録材とこれ以下の厚さを有する普通紙などの記録材とに応じて記録ヘッド２Ａの高さを調整できるようになっている。高さ調整を行えることで、液滴の着弾位置がずれた場合に像がぼけるような不具合が発生するのを防止できる。
【００２９】
このような構成を対象として、本発明が解決しようとする問題点を説明すると次の通りである。
前記弦巻バネ１１は、普通紙などの薄手の記録材を対象として、記録ヘッド２Ａを適正な位置に押圧付勢するようになっており、厚手の記録材を対象とした場合には、薄手の記録材よりも記録紙表面との間の距離が大きくされるようになっている。このため、キャリッジ２は、記録紙表面に対して上下方向、つまり、記録紙表面に対して接離できる方向で変位可能であることから、接離する方向に対応する昇降方向でガタを有する構成となっている。
【００３０】
従って、通常、薄手の記録材を対象とした記録紙表面との間の距離が得られるように弦巻バネ１１により押圧付勢されているものの、例えば、図３において矢印で示すように、キャップ３Ａ、３Ｂおよびクリーニングブレード３Ｃ１が上昇して密着した際に生じる上昇方向の力を受けると、上述したガタの存在によって浮き上がる現象や、ガイド部材１０により片側を支持されることで片持ち梁状の支持構造をなすキャリッジ２がガイド部材１０の支持位置を支点として傾く現象が発生する。
【００３１】
このような現象は、記録ヘッド２Ａとキャップ３Ａ、３Ｂあるいはワイパーブレード３Cとの接触が不安定となる結果を招き、キャップによる吸引が不良状態となってノズルダウンを起こしたり、ワイパーブレード３Cの接触角が所望の値にならなくなることでノズル面の清掃が正常に行えなくなる虞がある。
【００３２】
以上のような問題に対して本発明では、図４乃至８の構成を用いることにより解決することができるようになっている。以下、この構成について説明する。
図４には、前記問題を解決するための一実施例が示されており、同図において、キャリッジ２の往復動方向に対応する壁面の一方には、孔で構成された嵌合部１２が設けられており、この嵌合部１２に対向する位置には、嵌合部１２に対して係脱可能な規制手段１３が設けられている。
【００３３】
規制手段１３は、キャリッジ２の往復動方向と直角な方向に軸方向を有する駆動モータ１４により駆動されるスパイラルギヤ１５に噛み合う歯部を有する往復動可能な規制ロッド１３Ａで構成されており、駆動モータ１４の回転方向および回転量を設定することにより、嵌合部１２に対して係脱できるようになっている。
【００３４】
規制手段１３が嵌合部１２に嵌合する時期は、キャリッジ２が維持回復装置３に対向したときであり、嵌合部１２に嵌合することにより、キャリッジ２の上下方向の動きをなくしてキャップ３Ａ、３Ｂおよびワイパーブレード３Ｃ１と記録ヘッド２Ａとの対向間隔を一定に維持するようになっている。
【００３５】
本実施例は以上のような構成であるから、キャリッジ２が維持回復装置３と対向する位置に移動すると、維持回復装置３では、キャリッジ２の位置を図示しない位置検知センサなどにより検知した時点で駆動モータ１４を駆動して規制手段１３が嵌合部１２に係合する態位が設定される。
これにより、キャリッジ２は、上下方向での動きが止められた状態を維持することになるので、記録ヘッド２Ａとキャップ３Ａ、３Ｂおよびワイパーブレード３Ｃ１との対向間隔が一定に維持される。
また、これらキャップ３Ａ、３Ｂおよびワイパーブレード３Ｃ１が接触した際の力を受けても、キャリッジ２が不用意に上昇しない状態に維持されて対向間隔が一定値に保たれる。
【００３６】
本実施例においては、キャリッジ２に設けた嵌合部１２と規制手段１３との係合という簡単な構成により下方から上方に向けたキャリッジ２の不用意な上昇が防止できる。
このように、キャリッジ２の上昇変位が防止されていると、記録ヘッド２Ａがキャップ３Ａ、３Ｂおよびワイパーブレード３Ｃ１から受ける力によりこれら部材間での対向間隔が変化してしまうのを防ぐことが可能となる。この結果、記録ヘッド２Ａに対するキャップ３Ａ、３Ｂの密着性を確保して保湿性の維持さらには、ワイパープレード３Ｃ１の接触角を適正化して記録ヘッド２Ａに有するノズルの清掃が確実に行えることになる。
【００３７】
次に本発明の別実施例について説明する。
図５に示す実施例は、キャリッジ２の上昇変位をキャリッジ２の上面に対向する規制手段により阻止することを特徴としている。
図５において、キャリッジ２の上面の一部には、嵌合部としての切り欠き部２Ｂが形成されており、切り欠き部２Ｂに対向する位置には、規制手段１３０が配置されている。
【００３８】
規制手段１３０は、駆動モータ１４の出力軸に有する駆動ギヤ１４Ａに噛み合いながら駆動ギヤ１４Ａ周面を転動可能なアイドルギヤ１５と同軸上に固定された卵形の偏心カム１６で構成されている。
偏心カム１６は、大径部先端が切り欠き部１Ｂに入り込める形状とされ、アイドルギヤ１５の転動位置に応じて大径部先端が切り欠き部２Ｂと非係合状態となる態位と、図６に示すように、大径部先端が切り欠き部２Ｂに入り込む態位とを設定されるようになっている。
先端部が切り欠き部２Ｂに入り込む時期は、キャリッジ２が維持回復装置３と対向する位置に移動してきた時とされている。
【００３９】
本実施例においては、キャリッジ２が維持回復装置３のキャップ３Ａ、３Ｂあるいはワイパーブレード３Ｃ１に対向すると、駆動モータ１４が駆動されて偏心カム１６が回転駆動され、大径部先端がキャリッジ２側の切り欠き部２Ｂに入り込む。これにより、キャリッジ２は、上方への移動を阻止され、記録ヘッド２Ａとキャップ３Ａ、３Ｂあるいはワイパーブレード３Ｃ１との対向間隔を一定に維持され、図４に示した実施例と同様に、キャップ３Ａ、３Ｂあるいはワイパーブレード３Ｃ１が接触した際にも上昇しない上方への移動を阻止される。
本実施例においても、図３に示した実施例と同様な効果を得ることができる。
【００４０】
次に、図４に示した実施例の要部変形例について説明する。
図７に示す構成は、記録紙の厚さに応じてキャリッジ２の上昇変位を規定する構成を備えていることを特徴としている。
つまり、キャリッジ２は、前述したように、記録紙の厚さに応じて記録ヘッドと記録紙表面との間の距離を調整できるようになっている。このため、図４に示した嵌合部１２がキャリッジ２とキャップ３Ａ、３Ｂおよびワイパーブレード３Ｃ１との対向間隔方向に複数、この場合には、薄手の記録紙に対応する位置と、符号１２’で示すように、対向間隔が大きくなる厚手の記録紙に対応する位置とに設けられている。
【００４１】
この構成においては、厚手の記録紙を対象とした印字作業中にキャリッジ２が維持回復装置３の位置に移動したときには、厚手の記録紙を対象とした対向間隔方向の位置のうちで、記録紙表面と記録ヘッド２Ａとの対向距離が大きくなる位置に設定されている嵌合部１２’に対して規制手段１３が係合する。
【００４２】
一方、薄手の記録紙を対象とした印字作業中にキャリッジ２が維持回復装置３の位置に移動したときには、薄手の記録紙を対象とした対向間隔方向の位置のうちで、記録紙表面と記録ヘッド２Ａとの対向距離が狭くなる位置に設定されている嵌合部１２に対して規制手段１３が係合する。
【００４３】
以上のような構成においては、キャリッジ２の間隔調整に応じたキャリッジ２の上昇変位を防止する構成として、特別な構造とすることなく、複数の嵌合部を設けるだけで済む。
【００４４】
次に、本発明による維持回復装置のさらに他の実施例について説明する。
本実施例においては、維持回復装置３に装備されているメンテナンス装置３Ｃの昇降駆動源を規制手段の駆動源として流用することで同一駆動源を用いる点を特徴としている。
図８において、メンテナンス装置３Ｃの昇降駆動カム３Ｄを有する昇降軸１７には、偏心カムで構成された規制手段駆動用カム１８が一体化されて設けられている。
【００４５】
一方、キャリッジ２側には、規制手段駆動用カム１８の外周面が当接可能な勾配面１９Ａを有する規制手段１９が主走査方向に往復動可能に設けられている。
規制手段１９は、正面視形状が勾配面１９Ａを持つ三角形状とされ、頂部の一つ、つまり、キャリッジ２から遠い位置の頂部には、引っ張りバネ２０の一端が掛け止められて、通常、キャリッジ２から遠ざかる向きに移動することができるようになっている。
【００４６】
規制手段１９の頂部のうちで、引っ張りバネ２０の一端が掛け止められている頂部と対向する頂部、つまり、引っ張りバネ２０が掛け止められている頂部から主走査方向に対向する頂部には、キャリッジ２に形成されている嵌合部２Ｂ（図８（Ｂ）参照）に係脱可能な係合ロッド１９Ｂが一体化されている。
【００４７】
ロッド１９Ｂは、規制手段１９が主走査方向に移動するのに連動して嵌合部２Ｂに対して係脱することができ、係脱動作は、規制手段駆動用カム１８の外周面と規制手段１９の勾配面１９Ａとの対向関係により設定されるようになっている。
【００４８】
上述した規制手段駆動用カム１８は、昇降軸１７の回転位相において、メンテナンス装置３Ｃがキャリッジ２に接近する方向、つまり、図においては上昇する時に大径部先端が規制手段１９の勾配面１９Ａに対向し、メンテナンス装置３Ｃがキャリッジ２から離れる向き、つまり図においては下降する時に小径部先端を規制手段１９の勾配面１９Ａに対向させるようになっている。
このため、キャリッジ２が印字動作を行っているときには、メンテナンス装置３Ｃが動作態位にないので、メンテナンス装置３Ｃがキャリッジ２から離れている（下降している）ことにより、規制手段１９が引っ張りバネ２０により嵌合部２Ｂから離脱する位置に移動している。
【００４９】
一方、メンテナンス装置３Ｃにキャリッジ２が対向した場合には、メンテナンス装置３Ｃがキャリッジ２に近づく（上昇する）。これにより、規制手段駆動用カム１８は、大径部先端を規制手段１９の勾配面１９Ａに対向させることになる。
このとき、規制手段１９は、規制手段駆動用カム１８の大径部先端に押し動かされる（図８（Ｂ）中、符号Ｌ１で示す位置から符号Ｌ２で示す位置に大径部先端が対向面を変化させた状態）。
これにより、引っ張りバネ２０に抗して規制手段１９のロッド１９Ｂが嵌合部２Ｂに係合されることになる（図８（Ｂ）中、二点鎖線で示すように、符号Ｐ１の位置から符号Ｐ２の位置に移動した状態）。
【００５０】
規制手段１９のロッド１９Ｂと嵌合部２Ｂとの係合による作用は、前述した実施例と同様に、キャリッジ２とメンテナンス装置３Ｃ側のキャップ３Ａ、３Ｂあるいはワイパーブレード３Ｃ１との対向間隔を一定に維持するように、キャリッジ２の不用意な上昇変位を阻止するようになっている。
【００５１】
以上の構成においては、嵌合部２Ｂに対する規制手段の係脱駆動源を特別に設ける必要がなく、構成の簡略化が可能となる。
【符号の説明】
【００５２】
１  インクジェット記録装置
２  キャリッジ
２Ａ  記録ヘッド
２Ｂ  嵌合部として用いられる切り欠き部
３  維持回復装置
３Ａ、３Ｂ  キャップ
３Ｃ  メンテナンス装置
３Ｃ１  ワイパーブレード
１０  ガイド部材
１２、１２’  嵌合部
１３，１９，１３０  規制手段
１３Ａ  規制ロッド
１４  駆動モータ
１５  アイドルギヤ
１６  偏心カム
１７  昇降軸
１８  規制手段駆動用カム
１９Ｂ  ロッド
【先行技術文献】
【特許文献】
【００５３】
【特許文献１】特開２００６−４３８９３号公報
【特許文献２】特開２００７−３０２７１号公報
【図１】
2012121152.tif 000003
【図２】
2012121152.tif 000004
【図３】
2012121152.tif 000005
【図４】
2012121152.tif 000006
【図５】
2012121152.tif 000007
【図６】
2012121152.tif 000008
【図７】
2012121152.tif 000009
【図８】
2012121152.tif 000010